【手続補正書】
【提出日】令和3年3月15日(2021.3.15)
【手続補正１】
【補正対象書類名】特許請求の範囲
【補正対象項目名】全文
【補正方法】変更
【補正の内容】
【特許請求の範囲】
【請求項１】
複数のレンズ群を有し、ズーミングに際して隣り合うレンズ群の間隔が変化するズームレンズであって、
前記複数のレンズ群は、物体側から像側に順に配置された、負の屈折力の第１レンズ群、正の屈折力の第２レンズ群、１つ以上のレンズ群を含む後群からなり、
前記後群は、最も像側に配置された負の屈折力のレンズ部Ｌｎと該レンズ部Ｌｎの物体側に隣接して配置された正の屈折力のレンズ部Ｌｐとを有し、
前記レンズ部Ｌｎおよび前記レンズ部Ｌｐは、ズーミングに際して互いの間隔が変化する２つのレンズ群である、または、ズーミングに際して互いの間隔が変化しない単一のレンズ群に含まれフォーカシングに際してレンズ部Ｌｐが移動することにより互いの間隔が変化する２つのレンズ部であり、
前記レンズ部Ｌｐに含まれるフォーカシングに際して移動するレンズ要素ＬＦの物体側のレンズ面の曲率半径をＲ１ｆ、像側のレンズ面の曲率半径をＲ２ｆとするとき、
０．９５＜（Ｒ２ｆ＋Ｒ１ｆ）／（Ｒ２ｆ−Ｒ１ｆ）＜５．００
なる条件式を満足することを特徴とするズームレンズ。
【請求項２】
前記レンズ部Ｌｐは１つのレンズ要素からなることを特徴とする請求項１に記載のズームレンズ。
【請求項３】
前記レンズ部Ｌｐの焦点距離をｆｐ、前記レンズ部Ｌｎの焦点距離をｆｎとするとき、
１．０＜｜ｆｐ／ｆｎ｜＜５．０
なる条件式を満足することを特徴とする請求項１または２に記載のズームレンズ。
【請求項４】
望遠端において無限遠に合焦しているときの前記レンズ要素ＬＦの横倍率をβｐｔ、望遠端において無限遠に合焦しているときの前記レンズ要素ＬＦより像側に配置されたレンズ系の横倍率をβｔとするとき、
１．４＜（１−βｐｔ２）×βｔ２＜５．０
なる条件式を満足することを特徴とする請求項１乃至３のいずれか１項に記載のズームレンズ。
【請求項５】
前記レンズ部Ｌｐの焦点距離をｆｐ、広角端における前記ズームレンズの焦点距離をｆｗとするとき、
３．０＜ｆｐ／ｆｗ＜８．５
なる条件式を満足することを特徴とする請求項１乃至４のいずれか１項に記載のズームレンズ。
【請求項６】
無限遠に合焦時の広角端における前記レンズ要素ＬＦの最も物体側のレンズ面から像面までの距離をＤｗ、広角端における前記第１レンズ群の最も物体側のレンズ面から像面までの距離をＬｗとするとき、
０．２５＜Ｄｗ／Ｌｗ＜０．３６
なる条件式を満足することを特徴とする請求項１乃至５のいずれか１項に記載のズームレンズ。
【請求項７】
無限遠に合焦時の望遠端における前記レンズ要素ＬＦの最も物体側のレンズ面から像面までの距離をＤｔ、望遠端における前記第１レンズ群の最も物体側のレンズ面から像面までの距離をＬｔとするとき、
０．２５＜Ｄｔ／Ｌｔ＜０．５５
なる条件式を満足することを特徴とする請求項１乃至６のいずれか１項に記載のズームレンズ。
【請求項８】
前記レンズ部Ｌｎの焦点距離をｆｎ、望遠端における前記ズームレンズの焦点距離をｆｔとするとき、
１．０＜｜ｆｎ｜／ｆｔ＜１０．０
なる条件式を満足することを特徴とする請求項１乃至７のいずれか１項に記載のズームレンズ。
【請求項９】
望遠端において、無限遠に合焦しているときの前記レンズ要素ＬＦより像側に配置されたレンズ系の横倍率をβｔとするとき、
１．４＜βｔ＜５．０
なる条件式を満足することを特徴とする請求項１乃至８のいずれか１項に記載のズームレンズ。
【請求項１０】
前記レンズ部Ｌｐは１枚の正レンズからなることを特徴とする請求項１乃至９のいずれか１項に記載のズームレンズ。
【請求項１１】
前記レンズ要素ＬＦは、１枚の正レンズ、または、１枚の正レンズと１枚の負レンズを接合した接合レンズからなり、前記正レンズの材料のアッベ数をνｄとするとき、
４５≦νｄ
なる条件式を満足することを特徴とする請求項１乃至９のいずれか１項に記載のズームレンズ。
【請求項１２】
前記第２レンズ群は開口絞りを含むことを特徴とする請求項１乃至１１のいずれか１項に記載のズームレンズ。
【請求項１３】
前記レンズ部Ｌｎは最も像側に、正レンズ、または正の屈折力の接合レンズを有することを特徴とする請求項１乃至１２のいずれか１項に記載のズームレンズ。
【請求項１４】
広角端における前記ズームレンズの焦点距離をｆｗ、広角端におけるバックフォーカスをＢＦｗとするとき、
０．５＜ＢＦｗ／ｆｗ＜２．０
なる条件式を満足することを特徴とする請求項１乃至１３のいずれか１項に記載のズームレンズ。
【請求項１５】
広角端における前記第１レンズ群と前記第２レンズ群の空気間隔をＤ１ｗ、望遠端における前記第１レンズ群と前記第２レンズ群の空気間隔をＤ１ｔとするとき、
Ｄ１ｗ＞Ｄ１ｔ
なる条件式を満足することを特徴とする請求項１乃至１４のいずれか１項に記載のズームレンズ。
【請求項１６】
前記後群は、物体側から像側へ順に配置された、正の屈折力の第３レンズ群、負の屈折力の第４レンズ群からなり、前記第３レンズ群が前記レンズ部Ｌｐであり、前記第４レンズ群が前記レンズ部Ｌｎであることを特徴とする請求項１乃至１５のいずれか１項に記載のズームレンズ。
【請求項１７】
前記レンズ部Ｌｐは前記レンズ要素ＬＦよりなることを特徴とする請求項１６に記載のズームレンズ。
【請求項１８】
前記レンズ部Ｌｐは物体側から像側へ順に配置された負の屈折力のレンズ要素Ｌ３ｎ、前記レンズ要素ＬＦよりなることを特徴とする請求項１６に記載のズームレンズ。
【請求項１９】
前記後群は物体側から像側へ順に配置された、正の屈折力の第３レンズ群、正の屈折力の第４レンズ群、負の屈折力の第５レンズ群からなり、前記第４レンズ群が前記レンズ部Ｌｐであり、前記第５レンズ群がレンズ部Ｌｎであることを特徴とする請求項１乃至１５のいずれか１項に記載のズームレンズ。
【請求項２０】
前記レンズ部Ｌｐは前記レンズ要素ＬＦよりなることを特徴とする請求項１９に記載のズームレンズ。
【請求項２１】
前記後群は負の屈折力の第３レンズ群よりなり、前記第３レンズ群は物体側から像側へ順に配置された、前記レンズ部Ｌｐ、前記レンズ部Ｌｎよりなる事を特徴とする請求項１乃至１５のいずれか１項に記載のズームレンズ。
【請求項２２】
前記レンズ部Ｌｐは前記レンズ要素ＬＦよりなることを特徴とする請求項２１に記載のズームレンズ。
【請求項２３】
請求項１乃至２２のいずれか１項に記載のズームレンズと、該ズームレンズによって形成される像を受光する撮像素子を備えることを特徴とする撮像装置。
【手続補正２】
【補正対象書類名】明細書
【補正対象項目名】００１０
【補正方法】変更
【補正の内容】
【００１０】
本発明のズームレンズは、
複数のレンズ群を有し、ズーミングに際して隣り合うレンズ群の間隔が変化するズームレンズであって、
前記複数のレンズ群は、物体側から像側に順に配置された、負の屈折力の第１レンズ群、正の屈折力の第２レンズ群、１つ以上のレンズ群を含む後群からなり、
前記後群は、最も像側に配置された負の屈折力のレンズ部Ｌｎと該レンズ部Ｌｎの物体側に隣接して配置された正の屈折力のレンズ部Ｌｐとを有し、
前記レンズ部Ｌｎおよび前記レンズ部Ｌｐは、ズーミングに際して互いの間隔が変化する２つのレンズ群である、または、ズーミングに際して互いの間隔が変化しない単一のレンズ群に含まれフォーカシングに際してレンズ部Ｌｐが移動することにより互いの間隔が変化する２つのレンズ部であり、
前記レンズ部Ｌｐに含まれるフォーカシングに際して移動するレンズ要素ＬＦの物体側のレンズ面の曲率半径をＲ１ｆ、像側のレンズ面の曲率半径をＲ２ｆとするとき、
０．９５＜（Ｒ２ｆ＋Ｒ１ｆ）／（Ｒ２ｆ−Ｒ１ｆ）＜５．００
なる条件式を満足すること
を特徴としている。